(57)【要約】  サテライトプラットフォームは、機能モジュールへのレーザシステムの分割を促進し、ユーザの運転領域へ（例えば、関節アーム、ハンドピース、制御パネル）機能モジュールの内の１つ以上を与える、一方で、一部分または大多数の、レーザシステムは、依然として、ユーザの運転領域から離れて（例えば、壁面に、卓上に、または通路に）配置される。【選択図】  図２
2012505720.tif 000002
【特許請求の範囲】
【請求項１】
サテライトプラットフォームと、
サテライトプラットフォームにつながれ、かつ、ハンドピース、ユーザによって出力電磁エネルギを調節可能な電磁エネルギ源、第１の回路、データ送受信機、および、電磁エネルギ源からターゲットへ切除又は処置エネルギを送達するように構成された無菌出力端で構成されている出力構成と、
第２の回路、ディスプレイおよびユーザ入力部とユーザ制御部の１つ以上を有しているグラフィカルユーザインターフェース、第１の回路の動作状態、構成及び実時間運転情報の１つ以上と通信するように構成されているデータ送受信機を含んでいるハウジングと、を含んでいる、
ことを特徴とする機器。
【請求項２】
エネルギは、パルス化され、サテライトプラットフォームは、関節アームである、
ことを特徴とする請求項１記載の機器。
【請求項３】
サテライトプラットフォームは、関節アームであり、出力構成は、ユーザの手によって持ちおよびつかむ、の内の１つ以上を促すように寸法決めされ及び形造られている外表面を含んでいる、
ことを特徴とする請求項１記載の機器。
【請求項４】
出力構成は、配線接続されたものであり、ハウジングに物理的に接続されており、サテライトプラットフォームは、関節アームである、
ことを特徴とする請求項１記載の機器。
【請求項５】
出力構成は、配線接続されたものであり、ハウジングに物理的に接続されており、
サテライトプラットフォームは、関節アームであり、
機器は、第１の回路と第２の回路間に無線通信リンクをさらに含む、
ことを特徴とする請求項１記載の機器。
【請求項６】
サテライトプラットフォームは、関節アームであり、出力構成は、約２．６９から約２．８０ミクロンまでの範囲内の波長および約２．９４ミクロンの波長の内の１つを有しているレーザを含む、
ことを特徴とする請求項５記載の機器。
【請求項７】
電磁エネルギは、Ｅｒ：ＹＡＧレーザ、Ｅｒ：ＹＳＧＧレーザ、Ｅｒ,Ｃｒ：ＹＳＧＧレーザおよびＣＴＥ：ＹＡＧレーザの内の１つ以上のものによって生成され、
電磁エネルギ源の源は、光ファイバであり、
機器は、歯、骨、軟骨および軟組織の内の１つ以上を、切除又は切断するために運転可能である、
ことを特徴とする請求項５記載の機器。
【請求項８】
機器は、電磁エネルギと同時に、水を含む流体粒子を出力するように運転可能であり、
機器は、噴霧器を含み、電磁エネルギに沿う容量に粉末化された流体粒子を置くように構成され、それによって、比較的大量のエネルギが、前記容量内の粉末化された流体粒子へと与えられ、それによって、粉末化された粒子を急速に拡散させる、
ことを特徴とする請求項１記載の機器。
【請求項９】
機器は、パルスレーザエネルギを出力するように構成されており、
出力構成は、タッチスクリーンディスプレイを含んでおり、
出力構成は、出力構成の遠位端から流体を運ぶように構成された流体出力を含む、
ことを特徴とする請求項１記載の機器。
【請求項１０】
ユーザによって電磁エネルギ出力を動作できるハンドピース、および、ディスプレイおよびユーザ入力部とユーザ制御部との内の１つ以上のものを有しているグラフィカルユーザインターフェースを含んでいる、サテライトプラットフォームと、
レーザ、電源、およびサテライトプラットフォームと運転状態、構成および実時間運転情報の内の１つ以上のものと通信するように構成された回路を含んでいる、ハウジングと、を含んでいる、
ことを特徴とする機器。
【請求項１１】
エネルギは、パルス化されており、サテライトプラットフォームは、関節アームである、
ことを特徴とする請求項１０記載の機器。
【請求項１２】
サテライトプラットフォームは、関節アームであり、ハンドピースは、ユーザの手によって持ちおよびつかむ、の内の１つ以上を促すように寸法決めされおよび形造られた外表面を含んでいる、
ことを特徴とする請求項１０記載の機器。
【請求項１３】
ハンドピースは、配線接続されたものであり、物理的にハウジングに接続されており、サテライトプラットフォームは、関節アームである、
ことを特徴とする請求項１０記載の機器。
【請求項１４】
サテライトプラットフォームは、配線接続されたものであり、ハウジングに物理的に接続されており、
サテライトプラットフォームは、関節アームであり、
機器は、サテライトプラットフォームとハウジング間に無線通信リンクをさらに含む、
ことを特徴とする請求項１０記載の機器。
【請求項１５】
サテライトプラットフォームは、配線接続されたものであり、ハウジングに物理的に接続されており、
サテライトプラットフォームは、関節アームであり、
機器は、ハンドピースとハウジング間に無線通信リンクをさらに含む、
ことを特徴とする請求項１０記載の機器。
【請求項１６】
サテライトプラットフォームは、関節アームである、
ことを特徴とする請求項１０記載の機器。
【請求項１７】
電磁エネルギは、約２．６９から約２．８０ミクロンまでの範囲内の波長および約２．９４ミクロンの波長の内の１つを含む、
ことを特徴とする請求項１６記載の機器。
【請求項１８】
取り付けられたレーザであって、
壁、柱および垂直面の内の１つ以上に固定されたマウントと、
マウントに着脱可能に結合され、これによって、ハウジングが、非破壊方式で、マウントから、容易に、迅速に、繰り返し、着脱される、ハウジングと、
ハウジングから伸びている関節アームであって、該関節アームは、ユーザによって電磁エネルギ出力を動作できるハンドピースと、ディスプレイおよびユーザ入力部とユーザ制御部の内の１つ以上を有しているグラフィカルユーザインターフェースと、を有している、関節アームと、
を含んでいることをと特徴とする取り付けされたレーザ。
【請求項１９】
ハウジングは、レーザ、電源、およびハンドピースと運転状態、構成および実時間運転情報の内の１つ以上を通信するように構成された回路を含む、
ことを特徴とする請求項１８記載の取り付けられたレーザ。
【請求項２０】
ハンドピースは、電磁エネルギと同時に、水を含んでいる流体粒子を出力するように運転可能である、
ことを特徴とする請求項１８記載の取り付けられたレーザ。
【発明の詳細な説明】
【技術分野】
【０００１】
＜関連出願への相互参照＞
本出願は、米国仮出願番号第６１／１０５，７８２号（２００８年１０月１５日出願、「ＲＥ−ＣＯＮＦＩＧＵＲＡＢＬＥ  ＭＯＤＵＬＡＲ  ＬＡＳＥＲ  ＳＹＳＴＥＭ  ＦＯＲ  ＭＥＤＩＣＡＬ  ＡＰＰＬＩＣＡＴＩＯＮＳ」（代理人番号ＢＩ８１７１ＰＲ））の利益を請求する。本出願の内容は、引用することによって明確に本明細書に組み入れられる。本出願は、出願番号第１１／８００，４３５号（２００７年５月３日出願、「ＴＡＲＧＥＴ−ＣＬＯＳＥ  ＥＬＥＣＴＲＯＭＡＧＮＥＴＩＣ  ＥＮＥＲＧＹ  ＥＭＩＴＴＩＮＧ  ＤＥＶＩＣＥ」（代理人番号ＢＩ９９７５ＣＩＰ２））の一部継続出願であり、米国仮出願番号第６０／９２１，０５７号（２００７年３月２９日出願、「ＴＡＲＧＥＴ−ＣＬＯＳＥ  ＥＬＥＣＴＲＯＭＡＧＮＥＴＩＣ  ＥＮＥＲＧＹ  ＥＭＩＴＴＩＮＧ  ＤＥＶＩＣＥ」（代理人番号ＢＩ９９７５ＣＩＰＰＲ））の利益を請求するものであり、かつ、出願番号第１１／６９８，３４５号（２００７年１月２５日出願、「ＥＬＥＣＴＲＯＭＡＧＮＥＴＩＣ  ＥＮＥＲＧＹ  ＯＵＴＰＵＴ  ＳＹＳＴＥＭ」（代理人番号ＢＩ９９７５Ｐ））の一部継続出願である。これらの出願のすべての内容は、引用することによって本明細書に組み入れられる。
【０００２】
本発明は、医療装置、特にエネルギを出力する組織処置装置に、一般に関係する。
【背景技術】
【０００３】
＜関連技術の記載＞
様々なレーザシステムが、先行技術に存在している。固体レーザは、それらがコンパクトで、長期使用について信頼があり、現地で容易に交換される、という点において有利になりえる。固体レーザシステムは、一般にコヒーレント光を放射するための利得媒体（例えばレーザロッド）と、コヒーレント光を放射するために利得媒体を刺激する誘導源と、を含む。固体レーザ中の利得媒体は、筒状ロッドの形態を通常有している固形物である。閃光ランプは、誘導源として典型的に使用され、例えば、しかし、ダイオードは、励起光源に同様に使用される。誘導発光による光増幅を生成するためのダイオードの使用は、下記非特許文献１に記載されており、その内容は、引用することによって明確に本明細書に組み入れられる。
【先行技術文献】
【非特許文献】
【０００４】
【非特許文献１】書籍「Solid-State Laser Engineering」（４番目の全改訂更新版、Walter Koechner著、１９９６年発行）
【０００５】
典型的な従来のレーザアセンブリは、ハウジングを含んでもよい。該ハウジングは、幹線ファイバに光学コネクタ経由で接続されるレーザモジュールを含む。光コネクタは、ハウジングからハンドピースまで、及びハンドピースを通って伸びている幹線ファイバを備えている、ハウジングへの幹線ファイバの取り付けおよびハウジングからの幹線ファイバの取り外しを促すように構成される。更に、幹線ファイバは、ハンドピースから中断されない方法で継続し、幹線ファイバのエネルギ出力終端で終了することができる。
【発明の概要】
【０００６】
サテライトプラットフォームは、レーザシステムの解析、または、機能モジュールへレーザシステムを分けること促進するためにレーザシステム中に与えられる。本発明の特徴によれば、サテライトプラットフォームは、１以上のモジュールをユーザの運転領域へ（例えば、近くの方へ）直接与えるために作用する。
【０００７】
典型的な実施では、サテライトプラットフォームは、２以上の機能モジュールを、ユーザの運転領域（例えばユーザとターゲット間に位置するユーザ近くの空間）へと与えるため、組み合わせる。典型的な実施形態は、２以上の機能モジュール（例えばレーザシステムユーザインターフェースの２つの主要なコンポーネント、すなわち、ハンドピース及び／又はコントロールパネル）を、機能的な（例えば、別々に、機能し、及び／又は、運転可能で、または、制御可能な）組合せへと組み合わせることを含む。
【０００８】
組合せは、サテライトプラットフォーム経由でユーザの運転領域へ直接与えられる、一方、一部分、すべてまたは大多数の、レーザシステムは、ユーザの運転領域から離れて（例えば壁面に、卓上に、または通路に）配置されてもよい。サテライトプラットフォームの特定の実施形態は、関節アームのコンテクスト（文脈）で明らかにされる。
【０００９】
機器と方法が、機能的な説明を有する文法上の流動性を有し、または、それを目的として記述される一方で、請求の範囲は、換言して示されたものを除いて、「手段」または「工程」の構成上の限定によって限定されたと解釈されるものではないが、公平な均等論の下、請求の範囲によって与えられた定義の意味および均等物の全範囲と一致すること、を明確に理解される。
【００１０】
本明細書に記載または引用された任意の特徴または特徴の組み合わせは、前記任意の組み合わせに含まれる特徴が、コンテクスト、この明細書および当業者の知識から明らかなように、互いに矛盾するものでなければ、本発明の範囲内に含まれる。加えて、記載または引用された任意の特徴または特徴の組み合わせは、本発明の任意の実施形態から特に除外し得る。本発明を要約する目的のために、本発明の特定の態様、利点および新しい特徴は、記述され、または、参照される。もちろん、全てのそのような態様、利点、または、特徴は、本発明の任意の特定の実施で具体化される必要はないことが理解されるべきである。本発明の追加の利点および態様は、後述の詳細な説明および請求の範囲において明らかとなる。
【図面の簡単な説明】
【００１１】
【図１】本発明の可動型構成によるモジュールレーザの側面図を示す。
【図２】本発明の壁取付構成によるモジュールレーザの側面図を示す。
【図３】本発明の卓上構成によるモジュールレーザの側面図を示す。
【発明を実施するための形態】
【００１２】
本発明の実施形態は、これより記載され、添付の図面に示される。実施形態の実例は、（各実例のための）他の実例ではそうでないが、幾つかの実例での尺度で描かれたものである、と理解されるべきものである。特定の態様では、図中の同様の、または同じ参照番号の使用は、同じ、同様、又は類似のコンポーネント及び／又は要素を引用するものである。一方で、他の実例では、同じコンポーネント及び／又は要素を使用すべきでない。特定の実例によると、頂部へ、底部へ、右へ、左へ、上へ、下へ、を超えて、の上へ、の下へ、を下回って、の後ろに、の前に、等の方向を示す用語は、文字通りに解釈される一方で、他の実例では、同じ使用をすべきでない。本発明は、技術分野で従来使用されている種々の装置と技術と協働して実行され得るものであり、ただ単に一般に実行されている処理工程の多くが、本発明の理解を与えるのに必要なものであるので、本明細書に含まれている。本発明は、一般にレーザ装置とその処理の分野での適用可能性を有している。説明目的のために、しかしながら、以下の記載は、医療レーザ装置、および、処置および手術機能を実行するための医療レーザ装置の運転方法に関係する。
【００１３】
本発明のレーザシステムは、（例えば、与えられた診療室または手順の顧客の好みまたは特定の要求事項に依存して）１以上の独立の可動型のキャビネット、壁掛けユニット、また卓上装置として、繰り返し、不定回数、使用するため、交換可能なように、（例えば、変形することなく、非破壊で）容易に／可逆的に、構成されおよび（例えば、専用ドライバ、プライヤ、ドリルまたはカッター等のツールを使用せずに約１分以内に）再構成され得る。図１のような車輪の付いたカート、図２のような壁または柱、図３のような卓上に、レーザシステムの基部を取り付け又は結合することは、任意の既知の構成及び技術を用いて、または、任意の構成および技術を用いて、達成することができる。該任意の構成および技術は、本開示を考慮して明らかになり、導かれ、修正され得る、さもなければ、（例えば、医療装置、レーザ、歯科用器具、ハードウェア、及び／又は、ポータブルな／設定可能な／分離可能な装置用のハウジング、についての）関連技術の当業者によってそのような取り付けまたは結合を達成するのに適切と認識され得るものである。そのような取付構造の実施例は、システムの迅速な着脱のために、（初期設定後）ボルト又はプライヤを必要としない、トング・チャネルマウント（tongue-and-channel mounts）等の、マウント、又は壁掛けと一般にいわれるものである。
【００１４】
本発明の特徴により、レーザシステムにおいて与えられるものは、レーザシステムの一部または全部を複数の機能モジュールへと分け、分割し、分解（即ち、分離）することを促すための、サテライトプラットフォームである。サテライトプラットフォームは、レーザシステムの残りから１以上のモジュールを分離し、分離された１以上のモジュールを（例えば、分け、または分割していない１のモジュールまたは複数のモジュールに比べてユーザにより接近している）ユーザの運転領域（例えば、ユーザにより接近または最も接近している空間及び／又はユーザとターゲット間に位置している空間）へと直接与える。ターゲット上での処置の実行中、ユーザの運転領域は、例えばユーザの手の届く範囲の空間及び／又はユーザとターゲット間に位置している空間である。
【００１５】
典型的な実施では、サテライトプラットフォームは、２以上の機能モジュールを、ユーザの運転領域へと与え、または、近くへ与えるために組み合わせる。典型的な実施形態は、２つ以上の機能モジュール（例えばレーザシステムユーザインターフェースの２つの主要なコンポーネント、すなわち、ハンドピース及び／又はコントロールパネル）を機能的な（例えば、別々に機能的な）組み合わせへと組み合わせることを含む。
【００１６】
組合せは、サテライトプラットフォーム経由でユーザの運転領域へ直接与えられる、一方、一部分、すべてまたは大多数の、レーザシステムは、ユーザの運転領域から離れて（例えば、通路に、壁面に、または、卓上に）配置されてもよい。
【００１７】
サテライトプラットフォームの特定の実施形態は、ほんの一例として、限定するものではないが、従来の歯科用椅子を備えるコンポーネントに使用されたのと非常に似ている、関節アームのコンテクストで明らかにされる。
【００１８】
レーザシステムは、かたいまたは軟らかい組織上での処置手順を実行するのに適切な電磁エネルギ出力デバイスを含み得る。電磁エネルギ出力デバイスは、単に幾つかの例を挙げれば、例えば、軟らかい組織の切断又は切除手順に、または、汚染除去、歯周ポケット洗浄、苦痛軽減およびバイオ刺激手順に、特に適しているように構成することができる。
【００１９】
図に関して、本発明の実施形態は、ダイオードレーザシステム等のシステムを有している電磁エネルギ出力デバイスを含み得る。
【００２０】
電磁エネルギ出力デバイスは、サテライトプラットフォームと、基部とによるモジュラー形式で与えられる。装置の基端部は、図１に示されるように車輪等の上に可動形式で与えられ、図２に示されるように壁又は柱に取り付けられ、または、例えば、図３に明らかにされるように卓上に置くことができるものである。装置のハウジング及び／又はユーザインターフェース部は、例えば、タッチスクリーン等のディスプレイ、入力部及び／又は制御部、および、レーザ等の電磁エネルギ源を含み得る。
【００２１】
本発明の態様により、電磁エネルギ出力デバイスの一部またはすべては、ターゲット接近電磁エネルギ放射（例えばレーザ処理）装置として具体化される。本発明の態様は、ライン運搬システムコンポーネント位置に沿って、ターゲット接近機能コンポーネントの複数のコンポーネントを前進させることを含む。特に、１以上のターゲット接近機能コンポーネントがより前方に位置を決めされるように構成され、その結果、典型的な先行技術システムのコンポーネントの位置と比較して、それらがターゲットにより接近して配置されることになる。言いかえれば、かなりの数のターゲット接近機能コンポーネント、および特定の実施での装置の全ての要素は、本発明の特定の態様にしたがって、ターゲットの比較的すぐ近くに運転可能に配置される。機能コンポーネントとして本明細書に参照されたが、エネルギ源は、正当なレーザシステムよりむしろ一般の電磁エネルギ源を包含すると理解されることが、意図されている。
【００２２】
本発明の１つの特徴は、ターゲット接近機能コンポーネントのサテライトプラットフォームへの結合を与える。水平表面の実際の位置は、レーザ処理手順を実行中、高い位置にあり、その結果、そのような表面近くからのターゲット接近機能コンポーネントの移動（およびその後の再配置）は、他のツールまたは使用のために表面を解放することができる。ターゲット接近機能コンポーネントの１つ以上のコンポーネントは、例えば、サテライトプラットフォームに取り付けられ、またはサテライトプラットフォームに（ちょうど結合されていることが識別されるように）配置される。ターゲット接近機能コンポーネントの１つ以上のコンポーネントは、ねじ、クリップ、又はストラップ、及び／又は、重力／摩擦等の、１以上の留め具を用いて、サテライトプラットフォームに取り付けられ、または、配置される。特定の実施形態では、ターゲット接近機能コンポーネントの、１以上のコンポーネント、および、幾つかの実施では、全てのコンポーネントは、手術台、手術スタンド、手術椅子、および、壁の内の１以上のサテライトプラットフォームに取り付けることができる。
【００２３】
本発明の別の特徴は、サテライトプラットフォームへのターゲット接近機能コンポーネントの結合を与える。該サテライトプラットフォームは、次のアイテムの１またはそれ以上を、任意の置き換え／組み合わせで含むがこれらに限定されない。即ち、前記アイテムは、他の、均等な、交換可能な、又は、暗示するものでもないが：（例えば、天井または他の比較的高い位置に垂直に伸びている）ケーブル、ワイヤー、ブラケット、関節アーム、テレスコープ式リンクおよびペデスタルである。サテライトプラットフォームは、関節アームとして描かれている実施形態で具体化されている。
【００２４】
サテライトプラットフォーム（例えば関節アーム）へと取り付けられた時、ターゲット接近機能コンポーネントは、特定の実施では、卓上に置き又は壁に取り付けるための、表面又はマウントを要求しない。従って、水平表面は、無駄に使われない。ターゲット接近機能コンポーネントの取り付けは、必要なケーブル及び／又は他の導管、の数又は長さ、ユーザの疲労、患者の不安、手順を行うエリアでのクラッタの量、および手順のセットアップ時間及び／又はクリーンアップ時間の量、を減ずることができる。
【００２５】
ターゲット接近機能コンポーネントの１以上のコンポーネントは、サテライトプラットフォーム（例えば関節アーム）に取り付けられ、または、サテライトプラットフォームに（ちょうど結合されていることが識別されるように）配置される。ターゲット接近機能コンポーネントの１以上のコンポーネントは、サテライトプラットフォーム（例えば関節アーム）に、クリップ、バンド、スナップ、溝、ポケット、ケース、リング、面ファスナ、マウント、あるいはストラップ等の、１以上の留め具によって取り付けられ、配置されてもよい。さらに、水平方向の支持表面上の機能コンポーネントの従来の配置と比較して、次のことが発見された。即ち、前述のサテライトプラットフォーム（例えば関節アーム）へターゲット接近機能コンポーネントを結合させるというコンテクストでは、より少ないハードウェア（物理上の）ボタンを備えているユーザインターフェース及び／又はより多くのディスプレイ／ソフトウェアユーザインターフェース（例えば先行技術の構成に比べてより多くのソフトキー及び／又はタッチ画面入力部を含んでいるもの）は、例えば、結合の制限の少ない物理的な性質に起因して、ターゲット接近機能コンポーネントのより大きな有用性または汎用性を促進できる。同様に、従来の機能コンポーネントと比較して、前述のサテライトプラットフォーム（例えば関節アーム）へのターゲット接近機能コンポーネントの結合は、より短いケーブル及び／又は導管／ファイバにより実施された時、より大きな操作性および有効性を与えることができる。
【００２６】
ターゲット接近レーザ処理システムの現在の本発明の実施の可能な最終結果は、少なくとも部分的に、および特定の態様では、劇的に、（例えば、より簡単なアセンブリ、床／机表面上のより少ないクラッタ、ユーザ混乱／エラーのより少ない可能性からの）安全性、（例えば、より多くのアプリケーションへの装置の移動／より多くのアプリケーションでの操縦性又は、より多くのアプリケーションでの装置の使用といった）汎用性、（例えばより短い光ファイバ、より少ない組み立て部品／解体）効率、の１以上のものを向上する、ためのものであり得る。レーザモジュール、熱変換モジュール等の、特定の機能コンポーネントのサテライトプラットフォーム（例えば関節アーム）内への配置／上への配置は、レーザ出力配達システムの長さを減らし、及び／又は、利用可能な空間をよりよく使用できるようにする。すなわち、アームは、機能コンポーネント（例えば、ディスプレイの右後ろのアーム内でレーザを生成することで、ファイバ長さを減らし、及び／又は、ファイバをより薄く又は柔らかくするもの）により満たされ得る。さらなる例では、レーザを冷やすモジュールは、レーザの隣りに位置を決めすることができる。また、さらなる例では、アームの長さおよび設計は、流体の冷却に使用される。そのような特徴は、またシステム全体、またはその部品を、軽く小さくすることができる。
【００２７】
したがって、本発明は、例えば、現在の顧客要求および製造業者または他の当事者の状態又はそれらからの特定の技術にしたがって、レーザ及び／又はその関連するサブシステムをモジュラー化し、機能的に、設定及び／又は再設定できるようにするための様々なアプローチを熟慮する。サテライトプラットフォームが販売され、または実施許諾されるとき、それは、顧客リクエストに従って設定可能である。例えは、アームは、１、２、又は３個のレーザを含み、及び／又は、１、２、又は３つのモジュールを含み、及び／又は電源は、コストに応じた特定の寸法のものであり、小型化されたり、高価になったりする。ここで、例えば、ベースユニットは、（図２に左から右への寸法）幅１０インチ、高さ２０インチの壁から、（伸びている）ように測定された３インチ深さのハウジングを含む。深さは、全アセンブリが壁に掛るように、又は壁を形成するように、及び、壁に張り付き、作業領域に突出しないような、最も決定的な寸法のものであり得る。先行技術では、典型的な歯科医院には、例えば、レーザのための、空間がない傾向があり、及び、レーザのための、かなりの準備時間を要する傾向があった。これらは、本発明のアーキテクチャが、空間を節約し、時間を節約（例えば、迅速に設定可能）するレーザシステムを与えることによって取り組んでいるものである。
【００２８】
本発明によるターゲット接近レーザ処理システムの実施の別の可能な最終結果は、少なくとも部分的な、特定の態様では、劇的な、（より小型に、より少なく、短いコンポーネントから）製造コストの減少、運転及び／又は維持コスト（より短い距離でのエネルギ配達から、結果として得られる、使用中の、より少ないエネルギ損失）の減少、（典型的な従来のシステムに比べて、より離散的な及び／又は威圧観ある外観の機器から）医療上の手順実行中に患者によって経験される自覚的な要素の減少、の内の１つまたは複数のものためのものである。典型的な電力出力は、例えば、０．５Ｗから約２．０Ｗ、又はそれ以上のものを含み得る。
【００２９】
本明細書に記載又は引用されている、任意のターゲット接近機能コンポーネントの、又は、該コンポーネントに関係する、コンポーネント、システム及び工程の、組み合わせ又は置き換えは、米国出願番号１１／３３０，３８８号、２００６年１月１０日出願に開示され又は引用されているコンポーネント、システムおよび工程の何れかの１つ以上を、任意の範囲、及び任意の組み合わせ又は置き換えにおいて、使用し、又は、実施され得る。該出願は、引用することによって明確に本明細書に組み入れられる。例えば、流体（例えば粉末化された流体粒子）は、例えば、電磁放射の吸収、およびターゲットへの作用（例えば機械的な切断力）を与えるその後の展開に関して、本明細書に開示の任意の出力構成の前の相互作用領域に配置することができる。
【００３０】
さらに、記載されまたは引用された光ファイバの先端および光ファイバの遠位端のうちのいずれか１つ以上のものは、例えば、引用する米国特許出願第１１／３３０，３８８号に記載されるような気体および流体（たとえば水）ラインの１以上のものに与えられる。空気及び／又は流体（例えば滅菌水）源は、ハウジングまたはハンドピースのように、本明細書に記載されたまたは引用されたコンポーネントの１つ以上のものと結合され得る（例えば、それに取り付けられまたはその中に収容される）１以上の容器（例えば、加圧したカートリッジ）の形で与えられる。
【００３１】
本明細書で記載され又は引用された任意のターゲット接近機能コンポーネントの、又は該コンポーネントに関係する、コンポーネント、システムおよび工程、の任意の組み合わせ又は置き換えは、米国特許出願第１１／４７５，７１９号（２００６年６月２６日出願）において開示又は引用された、コンポーネント、システム、および工程の何れか１つ以上のものと、任意の範囲、及び、任意の組み合わせ又は置き換えにおいて、使用又は実施される。前記出願は、引用することによって明確に本明細書に組み入れられる。例えば、視覚フィードバック器具（例えばカメラ）は、記述され又は引用されたハウジング、ハンドピース、光ファイバの先端および光ファイバの遠位端の１つ以上のものの近くに（例えばその遠位端上、内部及び／又はその位置で）配置される。１つの実施例によると、記述された又は引用されたハンドピース、光ファイバの先端および光ファイバの遠位端の内の１つ以上のものは、水ラインおよび視覚フィードバック器具の１つ以上のものが与えられる。
【００３２】
ハウジングおよび出力構成は、サテライトリンクによって物理的に接続されている。更に、本発明の別の態様によると、ハウジングおよび出力構成の１つ以上のものは、特定用途向けＩＣ（ＡＳＩＣ）およびマイクロプロセッサの１つ以上によって構成される。１のマイクロプロセッサ又は複数のマイクロプロセッサは、例えば、ターゲット接近機能コンポーネントの運転状態および構成の、例えば、無線通信を可能にするものでもよい。無線通信は、例えば、ブルートゥース（登録商標）アーキテクチャおよびプロトコルを使用して、行なわれても良く、及び／又は、１のマイクロプロセッサ又は複数のマイクロプロセッサは、更にまたは代わりに、例えば、事前取得または実時間運転情報の、データ送信又はアップロードを行うように構成される。
【００３３】
図１乃至３に関して、これらの図面は、本発明の種々の態様の実施の例として意図されたものであり、全てのものではないが特定の実施形態により、一定の比率で縮小したものである。すなわち特定の実施により、これらの図に描かれた構造は、一定の比率で縮小されたものであると理解されるが、他の実施では、そうでなくてもよい。本発明の特定の態様では、これらの図面および以下の記載中の同じ参照番号の使用は、必ずしも同じではないが、同様の又は類似のコンポーネントおよび要素を指すことが意図されている。他の観点により、これらの図面および以下の記載中の同じ参照番号の使用は、同じ又は実質同じ、及び／又は機能的に同じ、コンポーネントおよび要素を指すと理解されることが意図されている。
【００３４】
ターゲット接近機能コンポーネントの特定の構成では、例えば、光ファイバの先端は、本発明の１つの特徴により、例えば、光バイオ変調または低レベルの光線療法（ＬＬＬＴ）の実施形態に対応する３乃至１０ｍｍの放射出力オリフィス（例えば固体ガラスのもの）で形成される。低レベルの光線療法技術に関して、本明細書に記載又は引用された任意のターゲット接近機能コンポーネントの、又は該コンポーネントに関係する、コンポーネント、システム及び工程の任意の組み合わせ又は置き換えは、米国特許出願第１１／４４７，６０５（２００６年６月５日出願）に開示されおよび引用された、コンポーネント、システム及び工程の内の１つ以上のものと、任意の範囲で、任意の組み合わせ又は置き換えで、使用され又は実施される。前記出願は、引用することによって明確に本明細書に取り入れられる。
【００３５】
特定の実施により、モジュール型レーザによって生成されたレーザエネルギは、出力部または処置ファイバからの出力であり、および、例えば、ターゲット表面（例えば、歯、骨、軟骨および軟組織の１つ以上のもの）上のハンドピースの流体出力から放出された流体（例えば、ハンドピースの出力端近くの水接続及び／又は噴霧接続からの、気体噴霧及び／又は液体噴霧又は流体粒子の粉末化された分布）へと導かれる。流体出力は、例えば、米国特許出願第１１／０４２，８２４号、米国仮出願番号第６０／６０１，４１５号に記載されているように、出力ファイバ周りに同心状に配置されている、複数の流体出力を含んでもよい。出力部または処置ファイバは、約２．６９から約２．８０ミクロンまでの範囲内の波長のもの、および約２．９４ミクロンの波長ものの内の１つ以上のものを含む電磁エネルギ源につながれる。特定の実施では、出力ファイバは、Ｅｒ：ＹＡＧレーザ、Ｅｒ：ＹＳＧＧレーザ、Ｅｒ,Ｃｒ：ＹＳＧＧレーザおよびＣＴＥ：ＹＡＧレーザの１つ以上のものに結合され、および特定の例では、約２．７８９ミクロンの波長を有しているＥｒ,Ｃｒ：ＹＳＧＧ固体レーザ、および約２．９４０ミクロンの波長を有しているＥｒ：ＹＡＧ固体レーザの１つに結合される。ターゲット表面上の流体粒子の粉末化された分布へと電磁エネルギを導くための対応する構造を含んでいる機器は、例えば、下記に引用する米国特許出願第５,５７４,２４７号において開示されている。該出願は、レーザエネルギを流体粒子へと伝達し、これによってターゲット表面に分裂的な力を適用することを記載している。
【００３６】
本明細書の開示を通じて、レーザは、ターゲット表面を分析し、モニタし及び／又は作用するのに有用な電磁エネルギを出力できることが記載された。光ファイバの先端エネルギを用いる手順の場合、プローブは、管内等の、歯の構造を処置（例えば、切除）するために、ターゲット表面へと処置エネルギを送達するための１以上の出力部または処置ファイバを含む。本明細書に記載の何れかの実施形態では、照明及び／又は診断用の光は、処置エネルギび／又は１の流体出力又は複数の流体出力からの流体の送達と、同時に、又は断続的に、又は別々に、送信される。
【００３７】
バイオレイズテクノロジー，インク．に譲渡された以下の特許に記載されている、対応又は関係する構成及び方法は、それら全体を引用することによって本明細書に組み込まれる。ここで、そのような組み込みは、以下の米国特許の対応または関係する構成（及びその変形例）を含んでいる。前記特許は、全体または部分的に、特許または下記出願、および当業者の知識および判断による、この開示によって、本発明の任意の部分で、(i)運転可能であり、(ii)運転可能に当業者によって修正され、(iii)その部分又はその部分の組み合わせによって実施され／使用される。
【００３８】
特許は、以下のものを含むが、これらに限定されない。即ち、米国特許第７，５７８，６２２号、「Contra-angle rotating handpiece having tactile-feedback tip ferrule」；米国特許第７，５７５，３８１号、発明の名称「Fiber tip detector apparatus and related methods」；米国特許第７，５６３，２２６号、発明の名称「Handpieces having illumination and laser outputs」；米国特許第７，４６７，９４６号、発明の名称「Electromagnetic radiation emitting toothbrush and dentifrice system」；米国特許第７，４６１，９８２号、発明の名称「Contra-angle rotating handpiece having tactile-feedback tip ferrule」；米国特許第７，４６１，６５８号、発明の名称「Methods for treating eye conditions」；米国特許第７，４５８，３８０号、発明の名称「Methods for treating eye conditions」；米国特許第７，４２４，１９９号、発明の名称「Fiber tip fluid output device」；米国特許第７，４２１，１８６号、発明の名称「Modified-output fiber optic tips」；米国特許第７，４１５，０５０号、発明の名称「Electromagnetic energy distributions for electromagnetically induced mechanical cutting」；米国特許第７，３８４，４１９号、発明の名称「Tapered fused waveguide for delivering treatment electromagnetic radiation toward a target surface」；米国特許第７，３５６，２０８号、発明の名称「Fiber detector apparatus and related methods」；米国特許第７，３２０，５９４号、発明の名称「Fluid and laser system」；米国特許第７，３０３，３９７号、発明の名称「Caries detection using timing differentials between excitation and return pulses」；米国特許第７，２９２，７５９号、発明の名称「 Contra-angle rotating handpiece having tactile-feedback tip ferrule」；米国特許第７，２９０，９４０号、発明の名称「Fiber tip detector apparatus and related methods」；米国特許第７，２８８，０８６号、発明の名称「High-efficiency, side-pumped diode laser system」；米国特許第７，２７０，６５７号、発明の名称「Radiation emitting apparatus with spatentially controllable output energy distributions」；米国特許第７，２６１，５５８号、発明の名称「Electromagnetic radiation emitting toothbrush and dentifrice system」；米国特許第７，１９４，１８０号、発明の名称「 Fiber detector apparatus and related methods」；米国特許第７，１８７，８２２号、発明の名称「Fiber tip fluid output device」；米国特許第７，１４４，２４９号、発明の名称「Device for dental care and whitening」；米国特許第７，１０８，６９３号、発明の名称「Electromagnetic energy distributions for electromagnetically induced mechanical cutting」；米国特許第７，０６８，９１２号、発明の名称「Fiber detector apparatus and related methods」；米国特許第６，９４２，６５８号、発明の名称「Radiation emitting apparatus with spatentially controllable output energy distributions」；米国特許第６，８２９，４２７号、発明の名称「Fiber detector apparatus and related methods」；米国特許第６，８２１，２７２号、発明の名称「Electromagnetic energy distributions for electromagnetically induced cutting」；米国特許第６，７４４，７９０号、発明の名称「Device for reduction of thermal lensing」；米国特許第６，６６９，６８５号、発明の名称「Tissue remover and method」；米国特許第６，６１６，４５１号、発明の名称「Electromagnetic radiation emitting toothbrush and dentifrice system」；米国特許第６，６１６，４４７号、発明の名称「Device for dental care and whitening」；米国特許第６，６１０，０５３号、発明の名称「Methods of using atomized particles for electromagnetically induced cutting」；米国特許第６，５６７，５８２号、発明の名称「Fiber tip fluid output device」；米国特許第６，５６１，８０３号、発明の名称「Fluid conditioning system」；米国特許第６，５４４，２５６号、発明の名称「Electromagnetically induced cutting with atomized fluid particles for dermatological applications」；米国特許第６，５３３，７７５号、発明の名称「Light-activated hair treatment and removal device」；米国特許第６，３８９，１９３号、発明の名称「Rotating handpiece」；米国特許第６，３５０，１２３号、発明の名称「Fluid conditioning system」；米国特許第６，２８８，４９９号、発明の名称「Electromagnetic energy distributions for electromagnetically induced mechanical cutting」；米国特許第６，２５４，５９７号、発明の名称「Tissue remover and method」；米国特許第６，２３１，５６７号、発明の名称「Material remover and method」；米国特許第６，０８６，３６７号、発明の名称「Dental and medical procedures employing laser radiation」；米国特許第５，９６８，０３７号、発明の名称「User programmable combination of atomized particles for electromagnetically induced cutting」；米国特許第５，７８５，５２１号、発明の名称「Fluid conditioning system」；および米国特許第５，７４１，２４７号、発明の名称「Atomized fluid particles for electromagnetically induced cutting」である。
【００３９】
また、上記の開示および参照されたアイテム、そして参照されたページに記述されたものは、下記公開された出願およびその中で参照されたアイテムの全てまたは一部において、対応または関係する構成及び方法の全部または一部について、運転可能なように、または、運転可能に修正可能となることを意図している。前記公開された出願は、以下の通りである。米国出願公開第２００９００３５７１７号、発明の名称「Electromagnetic radiation emitting toothbrush and transparent dentifrice system」；米国出願公開第２００９００３１５１５号、発明の名称「 Transparent dentifrice for use with electromagnetic radiation emitting toothbrush system」；米国出願公開第２００８０２７６１９２号、発明の名称「Method and apparatus for controlling an electromagnetic energy output system」；米国出願公開第２００８０２４０１７２号、発明の名称「Radiation emitting apparatus with spatentially controllable output energy distributions」；米国出願公開第２００８０２２１５５８号、発明の名称「MULTIPLE FIBER-TYPE TISSUE TREATMENT DEVICE AND RELATED METHOD」；米国出願公開第２００８０２１２６２４号、発明の名称「DUAL PULSE-WIDTH MEDICAL LASER」；米国出願公開第２００８０１５７６９０号、発明の名称「Electromagnetic energy distributions for electromagnetically induced mechanical cutting」；米国出願公開第２００８０１５１９５３号、発明の名称「Electromagnet energy distributions for electromagnetically induced mechanical cutting」；米国出願公開第２００８０１２５６７７号、発明の名称「Methods for treating hyperopia and presbyopia via laser tunneling」；米国出願公開第２００８０１２５６７６号、発明の名称「Methods for treating hyperopia and presbyopia via laser tunneling」；米国出願公開第２００８００９７４１８号、発明の名称「Methods for treating eye conditions」；米国出願公開第２００８００９７４１７号、発明の名称「Methods for treating eye conditions」；米国出願公開第２００８００９７４１６号、発明の名称「Methods for treating eye conditions」；米国出願公開第２００８００７０１８５号、発明の名称「Caries detection using timing differentials between excitation and return pulses」；米国出願公開第２００８００６５０５７号、発明の名称「High-efficiency, side-pumped diode laser system」；米国出願公開第２００８００６５０５５号、発明の名称「Methods for treating eye conditions」；米国出願公開第２００８００６５０５４号、発明の名称「Methods for treating hyperopia and presbyopia via laser tunneling」；米国出願公開第２００８００６５０５３号、発明の名称「Methods for treating eye conditions」；米国出願公開第２００８００３３４１１号、発明の名称「High efficiency electromagnetic laser energy cutting device」；米国出願公開第２００８００３３４０９号、発明の名称「Methods for treating eye conditions」；米国出願公開第２００８００３３４０７号、発明の名称「Methods for treating eye conditions」；米国出願公開第２００８００２５６７５号、発明の名称「Fiber tip detector apparatus and related methods」；米国出願公開第２００８００２５６７２号、発明の名称「Contra-angle rotating handpiece having tactile-feedback tip ferrule」；米国出願公開第２００８００２５６７１号、発明の名称「Contra-angle rotating handpiece having tactile-feedback tip ferrule」；米国出願公開第２００７０２９８３６９号、発明の名称「Electromagnetic radiation emitting toothbrush and dentifrice system」；米国出願公開第２００７０２６３９７５号、発明の名称「Modified-output fiber optic tips」；米国出願公開第２００７０２５８６９３号、発明の名称「Fiber detector apparatus and related methods」；米国出願公開第２００７０２０８４０４号、発明の名称「Tissue treatment device and method」；米国出願公開第２００７０２０８３２８号、発明の名称「Contra-angel rotating handpiece having tactile-feedback tip ferrule」；米国出願公開第２００７０１９０４８２号、発明の名称「Fluid conditioning system」；米国出願公開第２００７０１８４４０２号、発明の名称「Caries detection using real-time imaging and multiple excitation frequencies」；米国出願公開第２００７０１０４４１９号、発明の名称「Fiber tip fluid output device」；米国出願公開第２００７００６０９１７号、発明の名称「High-efficiency, side-pumped diode laser system」；米国出願公開第２００７００５９６６０号、発明の名称「Device for dental care and whitening」；米国出願公開第２００７００５４２３６号、発明の名称「Device for dental care and whitening」；米国出願公開第２００７００５４２３５号、発明の名称「Device for dental care and whitening」；米国出願公開第２００７００５４２３３号、発明の名称「Device for dental care and whitening」；米国出願公開第２００７００４２３１５号、発明の名称「Visual feedback implements for electromagnetic energy output devices」；米国出願公開第２００７００１４５１７号、発明の名称「Electromagnetic energy emitting device with increased spot size」；米国出願公開第２００７００１４３２２号、発明の名称「Electromagnetic energy distributions for electromagnetically induced mechanical cutting」；米国出願公開第２００７０００９８５６号、発明の名称「Device having activated textured surfaces for treating oral tissue」；米国出願公開第２００７０００３６０４号、発明の名称「Tissue coverings bearing customized tissue images」；米国出願公開第２００６０２８１０４２号、発明の名称「Electromagnetic radiation emitting toothbrush and dentifrice system」；米国出願公開第２００６０２７５０１６号、発明の名称「Contra-angle rotating handpiece having tactile-feedback tip ferrule」；米国出願公開第２００６０２４１５７４号、発明の名称「Electromagnetic energy distributions for electromagnetically induced disruptive cutting」；米国出願公開第２００６０２４０３８１号、発明の名称「Fluid conditioning system」；米国出願公開第２００６０２１０２２８号、発明の名称「Fiber detector apparatus and related methods」；米国出願公開第２００６０２０４２０３号、発明の名称「Radiation emitting apparatus with spatentially controllable output energy distributions」；米国出願公開第２００６０１４２７４３号、発明の名称「Medical laser having controlled-temperature and sterilized fluid output」；米国出願公開第２００６００９９５４８号、発明の名称「Caries detection using timing differentials between excitation and return pulses」；米国出願公開第２００６００４３９０３号、発明の名称「Electromagnetic energy distributions for electromagnetically induced mechanical cutting」；米国出願公開第２００５０２８３１４３号、発明の名称「Tissue remover and method」；米国出願公開第２００５０２８１８８７号、発明の名称「Fluid conditioning system」；米国出願公開第２００５０２８１５３０号、発明の名称「Modified-output fiber optic tips」；米国出願公開第２００４０１０６０８２号、発明の名称「Device for dental care and whitening」；米国出願公開第２００４００９２��２５号、発明の名称「Methods of using atomized particles for electromagnetically induced cutting」；米国出願公開第２００４００９１８３４号、発明の名称「Electromagnetic radiation emitting toothbrush and dentifrice system」；米国出願公開第２００４００６８２５６号、発明の名称「Tissue remover and method」；米国出願公開第２００３０２２８０９４号、発明の名称「Fiber tip fluid output device」；米国出願公開第２００２０１４９３２４号、発明の名称「Electromagnetic energy distributions for electromagnetically induced mechanical cutting」；および、米国出願公開第２００２００１４８５５号、発明の名称「Electromagnetic energy distributions for electromagnetically induced mechanical cutting」である。
【００４０】
前記公開された出願の全ての内容は、引用することによって本明細書に組み入れられる。本明細書の開示は、特定の図示された実施形態を参照するが、これらの実施形態は、限定するものではなく、一例として示された、ことが理解される。例えば、任意のエネルギ出力（例えば、レーザ）、任意の流体出力（例えば水出力）、および任意の品質改良剤、粒子、薬剤等、および、それらの詳細または特徴、または、方法工程および技術を含む、他の特徴は、全体または一部において、本発明の任意の非均等な、分離した、非交換可能な態様としての、任意の組み合わせ又は置き換えにおいて、本明細書に記載又は引用された任意の他の１又は複数の構成および処理工程で用いられる。この開示による本発明の任意の部分に、全部又は一部において、(i)運転可能で及び／又は構成され、(ii)運転可能に当業者によって修正され及び／又は構成され、(iii)実施され／作られ／使用され、または、組み合わされる、それらに対する変形例を含む当業者の知識、この明細書のコンテクストから明らかになる、互いに矛盾しない範囲について、本発明の一部として、本明細書で特に熟慮され、開示されおよび請求された対応または関係する構造および方法は、(I)上記の開示されたまたは引用された構成及び方法の内の１つ以上、及び／又は(II)任意の置き換え及び／又は組み合わせにおいて、以下の特許請求の範囲の記載とその一部分の１つ以上の内容を、含む。この開示の意図は、当業者の知識を併用して、添付の請求の範囲によってのみ限定される、発明の精神および範囲を逸脱するような互いに排他的なものではない範囲までの、実施例の、全ての変更、変形、組み合わせ、置き換え、省略、代用、代替、及び、均等物に及ぶと、実施例を解釈することである。
【図１】
2012505720.tif 000003
【図２】
2012505720.tif 000004
【図３】
2012505720.tif 000005
【国際調査報告】
2012505720.tif 000006